(57)【要約】【課題】読取り画像のみから原稿の大きさを特定する場合や検知部材の検知結果のみから原稿の大きさを特定する場合に比べて、原稿の読取り時間を短縮しつつ原稿の大きさの誤検知を低減すること。【解決手段】原稿（Ｇｉ）の幅方向の端を揃える揃え部材（２）に基づいて原稿（Ｇｉ）の幅を検知する幅検知手段（Ｃ８）と、原稿（Ｇｉ）を検知する通過検知部材（１７）に基づいて、媒体（Ｇｉ）の長さを検知する長さ検知手段（Ｃ１１）と、原稿（Ｇｉ）の画像を読み取る読取り部材（ＣＣＤ）と、原稿が定型の場合は幅検知手段（Ｃ８）および長さ検知手段（Ｃ１１）に基づいて原稿の大きさを検知し、原稿が非定型の場合は読取り部材（ＣＣＤ）が読み取った画像に基づいて原稿の大きさを検知する大きさ検知手段（Ｃ１２）と、を備えた画像読取装置（Ｕ１）。【選択図】図３
2017069619.tif 000002
【特許請求の範囲】
【請求項１】
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の大きさが定型の場合は前記揃え部材の幅方向の位置に基づいて原稿の幅を検知し、前記原稿の大きさが非定型の場合は前記読取り部材が読み取った画像に基づいて原稿の幅を検知する幅検知手段と、
を備えたことを特徴とする画像読取装置。
【請求項２】
原稿が収容される収容部と、
前記収容部に設けられ、前記原稿の搬送方向に交差する幅方向に沿って移動可能に支持されて、前記原稿の幅方向の端を揃える揃え部材と、
前記揃え部材の幅方向の位置に基づいて、前記原稿の幅方向の長さを検知する幅検知手段と、
搬送路上に予め設定された読取位置を通過する原稿の画像を読み取る読取り部材と、
原稿の読取り方法が入力される入力部と、
前記入力部から入力された原稿の読取り方法において、原稿の大きさが揃っている場合は前記揃え部材の幅方向の位置に基づいて原稿の幅を検知し、前記原稿の大きさが不揃いの場合は前記読取り部材が読み取った画像に基づいて原稿の幅を検知する幅検知手段と、
を備えたことを特徴とする画像読取装置。
【請求項３】
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の読取り速度を優先する場合は前記揃え部材の幅方向の位置に基づいて原稿の幅を検知し、読取速度優先が選択されなかった場合は前記読取り部材が読み取った画像に基づいて原稿の幅を検知する幅検知手段と、
を備えたことを特徴とする画像読取装置。
【請求項４】
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、前記原稿の読取り精度を優先する場合は前記読取り部材が読み取った画像に基づいて原稿の幅を検知し、精度優先が選択されなかった場合は前記揃え部材の幅方向の位置に基づいて原稿の幅を検知する幅検知手段と、
を備えたことを特徴とする画像読取装置。
【請求項５】
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の大きさが定型且つ原稿の大きさが揃っており且つ原稿の読取り速度を優先する場合は、前記揃え部材の幅方向の位置に基づいて原稿の幅を検知し、原稿の大きさが定型且つ原稿の大きさが揃っており且つ原稿の読取り速度を優先する場合以外の場合は前記読取り部材が読み取った画像に基づいて原稿の幅を検知する幅検知手段と、
を備えたことを特徴とする画像読取装置。
【請求項６】
前記入力部から入力された原稿の読取り方法において、原稿の大きさが定型であっても、原稿の読取り精度を優先する選択がされた場合は、前記読取り部材が読み取った画像に基づいて原稿の幅を検知する前記幅検知手段、
を備えたことを特徴とする請求項１ないし５のいずれかに記載の画像読取装置。
【請求項７】
前記入力部から入力された原稿の読取り方法において、原稿の大きさが揃っている選択がされていても、原稿の読取り精度を優先する選択がされた場合は、前記読取り部材が読み取った画像に基づいて原稿の幅を検知する前記幅検知手段、
を備えたことを特徴とする請求項１ないし６のいずれかに記載の画像読取装置。
【請求項８】
原稿が収容される収容部と、
前記原稿が搬送される搬送路と、
前記搬送路上に配置され、通過する原稿を検知する通過検知部材と、
前記通過検知部材の検知結果に基づいて、前記媒体の搬送方向の長さを検知する長さ検知手段と、
前記搬送路上に予め設定された読取位置を通過する原稿の画像を読み取る読取り部材と、
原稿の搬送中に、前記読取り部材の読取結果から原稿の幅を検知し且つ前記長さ検知手段で原稿の長さを検知して、原稿の大きさを検知する大きさ検知手段と、
を備えたことを特徴とする画像読取装置。
【請求項９】
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
前記揃え部材の幅方向の位置から原稿の大きさが定型と判断される場合は前記揃え部材の幅方向の位置に基づいて原稿の幅を検知し、定型と判断されない場合は前記読取り部材が読み取った画像に基づいて原稿の幅を検知する幅検知手段と、
を備えたことを特徴とする画像読取装置。
【請求項１０】
請求項１ないし９のいずれかに記載の画像読取装置と、
前記画像読取装置が読み取った画像に基づいて、媒体に画像を記録する画像記録装置と、
を備えたことを特徴とする画像形成装置。
【発明の詳細な説明】
【技術分野】
【０００１】
本発明は、画像読取装置および画像形成装置に関する。
【背景技術】
【０００２】
画像読取装置や画像形成装置において、原稿の傾斜を補正する技術に関し、以下の特許文献１〜３に記載の技術が知られている。
【０００３】
特許文献１としての特開２０１２−０３９３１６号公報には、原稿の画像を固体撮像素子（ＣＣＤ）で読み取る際に、固体撮像素子（ＣＣＤ）からの信号に基づいて、原稿長（Ｌ１）および原稿幅（Ｌ２）から原稿サイズを検出する技術が記載されている。
【０００４】
特許文献２としての特開昭６２−０６１４６７号公報には、ＣＣＤイメージセンサー（１２）で原稿を読み取る際に、原稿の先端から後端までの通過時間で長さを測定し、読取り画像から横幅も測定して、原稿のサイズを判定する技術が記載されている。
【０００５】
特許文献３としての特開２００２−１６５０７２号公報には、原稿載置台（１１）において搬送方向に前後して配置されたセンサ（ＳＮ１，ＳＮ２）で原稿の長さを検知し、原稿載置台（１１）の規制板（１１１）の位置をセンサ（ＳＮ３，ＳＮ４）で検知して原稿の幅を検知することで、定型サイズの原稿の大きさを判定する技術が記載されている。また、Ａ４Ｒと８．５×１１Ｒの原稿サイズを判定する場合は、原稿を移動させながら、搬送路上に配置されたセンサ（ＳＮ５）の通過時間を検知し、原稿の長さを検知する技術も記載されている。
【先行技術文献】
【特許文献】
【０００６】
【特許文献１】特開２０１２−０３９３１６号公報（「００５０」）
【特許文献２】特開昭６２−０６１４６７号公報（第３ページ右下欄１５行〜第４ページ左上欄１５行）
【特許文献３】特開２００２−１６５０７２号公報（「００３４」〜「００４５」、図３）
【発明の概要】
【発明が解決しようとする課題】
【０００７】
本発明は、読取り画像のみから原稿の大きさを特定する場合や検知部材の検知結果のみから原稿の大きさを特定する場合に比べて、原稿の読取り時間を短縮しつつ原稿の大きさの誤検知を低減することを技術的課題とする。
【課題を解決するための手段】
【０００８】
前記技術的課題を解決するために、請求項１に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の大きさが定型の場合は前記揃え部材の幅方向の位置に基づいて原稿の幅を検知し、前記原稿の大きさが非定型の場合は前記読取り部材が読み取った画像に基づいて原稿の幅を検知する幅検知手段と、
を備えたことを特徴とする。
【０００９】
前記技術的課題を解決するために、請求項２に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
前記揃え部材の幅方向の位置に基づいて、前記原稿の幅方向の長さを検知する幅検知手段と、
搬送路上に予め設定された読取位置を通過する原稿の画像を読み取る読取り部材と、
原稿の読取り方法が入力される入力部と、
前記入力部から入力された原稿の読取り方法において、原稿の大きさが揃っている場合は前記揃え部材の幅方向の位置に基づいて原稿の幅を検知し、前記原稿の大きさが不揃いの場合は前記読取り部材が読み取った画像に基づいて原稿の幅を検知する幅検知手段と、
を備えたことを特徴とする。
【００１０】
前記技術的課題を解決するために、請求項３に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の読取り速度を優先する場合は前記揃え部材の幅方向の位置に基づいて原稿の幅を検知し、読取速度優先が選択されなかった場合は前記読取り部材が読み取った画像に基づいて原稿の幅を検知する幅検知手段と、
を備えたことを特徴とする。
【００１１】
前記技術的課題を解決するために、請求項４に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、前記原稿の読取り精度を優先する場合は前記読取り部材が読み取った画像に基づいて原稿の幅を検知し、精度優先が選択されなかった場合は前記揃え部材の幅方向の位置に基づいて原稿の幅を検知する幅検知手段と、
を備えたことを特徴とする。
【００１２】
前記技術的課題を解決するために、請求項５に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
原稿の読取り方法が入力される入力部と、
前記入力部から入力された原稿の読取り方法において、原稿の大きさが定型且つ原稿の大きさが揃っており且つ原稿の読取り速度を優先する場合は、前記揃え部材の幅方向の位置に基づいて原稿の幅を検知し、原稿の大きさが定型且つ原稿の大きさが揃っており且つ原稿の読取り速度を優先する場合以外の場合は前記読取り部材が読み取った画像に基づいて原稿の幅を検知する幅検知手段と、
を備えたことを特徴とする。
【００１３】
請求項６に記載の発明は、請求項１ないし５のいずれかに記載の画像読取装置において、
前記入力部から入力された原稿の読取り方法において、原稿の大きさが定型であっても、原稿の読取り精度を優先する選択がされた場合は、前記読取り部材が読み取った画像に基づいて原稿の幅を検知する前記幅検知手段、
を備えたことを特徴とする。
【００１４】
請求項７に記載の発明は、請求項１ないし６のいずれかに記載の画像読取装置において、
前記入力部から入力された原稿の読取り方法において、原稿の大きさが揃っている選択がされていても、原稿の読取り精度を優先する選択がされた場合は、前記読取り部材が読み取った画像に基づいて原稿の幅を検知する前記幅検知手段、
を備えたことを特徴とする。
【００１５】
前記技術的課題を解決するために、請求項８に記載の発明の画像読取装置は、
原稿が収容される収容部と、
前記原稿が搬送される搬送路と、
前記搬送路上に配置され、通過する原稿を検知する通過検知部材と、
前記通過検知部材の検知結果に基づいて、前記媒体の搬送方向の長さを検知する長さ検知手段と、
前記搬送路上に予め設定された読取位置を通過する原稿の画像を読み取る読取り部材と、
原稿の搬送中に、前記読取り部材の読取結果から原稿の幅を検知し且つ前記長さ検知手段で原稿の長さを検知して、原稿の大きさを検知する大きさ検知手段と、
を備えたことを特徴とする。
【００１６】
前記技術的課題を解決するために、請求項９に記載の発明の画像読取装置は、
原稿が収容される収容部と、
前記収容部に設けられ、前記原稿の搬送方向に交差する幅方向に沿って移動可能に支持されて、前記原稿の幅方向の端を揃える揃え部材と、
搬送路上に予め設定された読取位置を通過する原稿の画像を読み取る読取り部材と、
前記揃え部材の幅方向の位置から原稿の大きさが定型と判断される場合は前記揃え部材の幅方向の位置に基づいて原稿の幅を検知し、定型と判断されない場合は前記読取り部材が読み取った画像に基づいて原稿の幅を検知する幅検知手段と、
を備えたことを特徴とする。
【００１７】
前記技術的課題を解決するために、請求項１０に記載の発明の画像形成装置は、
請求項１ないし９のいずれかに記載の画像読取装置と、
前記画像読取装置が読み取った画像に基づいて、媒体に画像を記録する画像記録装置と、
を備えたことを特徴とする。
【発明の効果】
【００１８】
請求項１ないし５，８ないし１０に記載の発明によれば、読取り画像のみから原稿の大きさを特定する場合や検知部材の検知結果のみから原稿の大きさを特定する場合に比べて、原稿の読取り時間を短縮しつつ原稿の大きさの誤検知を低減することができる。
請求項６に記載の発明によれば、揃え部材の位置が正確でない場合でも原稿の大きさの誤検知を低減しつつ、常に読取り画像のみから原稿の大きさを特定する場合に比べて、原稿の読取り時間を短縮できる。
請求項７に記載の発明によれば、原稿が揃っているという設定が正しくされていない場合や、揃え部材の位置が正確でない場合でも、原稿の大きさの誤検知を低減しつつ、常に読取り画像のみから原稿の大きさを特定する場合に比べて、原稿の読取り時間を短縮できる。
【図面の簡単な説明】
【００１９】
【図１】図１は実施例１の画像形成装置の全体説明図である。
【図２】図２は実施例１の可視像形成装置の拡大説明図である。
【図３】図３は実施例１の画像読取装置の全体説明図である。
【図４】図４は実施例１の原稿搬送装置における搬送部材や検出部材の位置関係の説明図である。
【図５】図５は実施例１の画像形成装置の制御部が備えている各機能をブロック図で示した図である。
【図６】図６は実施例１の原稿の大きさの検知方法の一覧の図である。
【図７】図７は実施例１の原稿の読取り制御処理のフローチャートの説明図である。
【図８】図８は実施例１の変更例の説明図であり、図８Ａは定型と非定型の設定しかない機種の場合の説明図、図８Ｂはノーミックスとミックスの設定しかない機種の場合の説明図、図８Ｃは速度優先と精度優先の設定しかない機種の場合の説明図である。
【発明を実施するための形態】
【００２０】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００２１】
図１は実施例１の画像形成装置の全体説明図である。
図２は実施例１の可視像形成装置の拡大説明図である。
図１において、画像形成装置の一例としての複写機Ｕは、操作部ＵＩ、画像読取装置の一例としてのスキャナ部Ｕ１、媒体供給装置の一例としてのフィーダ部Ｕ２、画像記録装置の一例としての作像部Ｕ３、および媒体処理装置Ｕ４を有している。
【００２２】
（操作部ＵＩの説明）
操作部ＵＩは、入力部の一例としての入力ボタンＵＩａを有する。入力ボタンＵＩａは、複写開始や複写枚数の設定、スキャナ部Ｕ１での原稿の読取り方法の設定などに用いられる。また、前記操作部ＵＩは、前記入力ボタンＵＩａにより入力された内容や、複写機Ｕの状態が表示される表示部ＵＩｂを有する。
【００２３】
（スキャナ部Ｕ１の説明）
図３は実施例１の画像読取装置の全体説明図である。
図１、図３において、スキャナ部Ｕ１は、画像読取装置の本体部の一例として、上端に透明な原稿台ＰＧを有するスキャナ本体Ｕ１ｂを有する。スキャナ本体Ｕ１ｂの上面には、原稿搬送装置Ｕ１ａが配置されている。原稿搬送装置Ｕ１ａは、原稿台ＰＧを開閉可能に支持されている。
前記原稿搬送装置Ｕ１ａは、原稿の積載部の一例として、複写しようとする複数の原稿Ｇｉが重ねて収容される原稿給紙トレイＵ１ａ１を有する。原稿給紙トレイＵ１ａ１の左方には、原稿搬送部Ｕ１ａ２が設けられている。原稿搬送部Ｕ１ａ２は、原稿給紙トレイＵ１ａ１の原稿Ｇｉを前記原稿台ＰＧ上に搬送する。原稿給紙トレイＵ１ａ１の下方には、原稿排出部の一例としての原稿排紙トレイＵ１ａ３が配置されている。原稿排紙トレイＵ１ａ３には、原稿台ＰＧを通過した原稿Ｇｉが原稿搬送部Ｕ１ａ２から排出される。
【００２４】
図３において、原稿台ＰＧの左端部には、第１の読取面の一例としての原稿の通過する読取窓ＰＧ１が配置されている。読取窓ＰＧ１は、原稿搬送装置Ｕ１ａの搬送路上に予め設定された第１面の読取位置Ｐ１に対応して形成されている。読取窓ＰＧ１は、原稿搬送装置Ｕ１ａにより搬送される原稿Ｇｉが通過する。読取窓ＰＧ１の右方には、利用者が設置した原稿Ｇｉが支持されるプラテンガラスＰＧ２が配置されている。前記読取窓ＰＧ１と、プラテンガラスＰＧ２との間には、案内部の一例としての原稿ガイドＰＧ３が支持されている。原稿ガイドＰＧ３は、読取窓ＰＧ１を通過した原稿Ｇｉを原稿搬送装置Ｕ１ａ内に案内する。
【００２５】
前記スキャナ本体Ｕ１ｂの内部には、露光光学系Ａが支持されている。原稿Ｇｉからの反射光は、露光光学系Ａの複数の光学部材を介して、第１の読取部材の一例としての固体撮像素子ＣＣＤで赤Ｒ、緑Ｇ、青Ｂの電気信号に変換されて、画像処理部ＧＳに入力される。
【００２６】
前記画像処理部ＧＳは、固体撮像素子ＣＣＤから入力される前記ＲＧＢの電気信号を黒Ｋ、イエローＹ、マゼンタＭ、シアンＣの画像情報に変換して一時的に記憶し、前記画像情報を、予め設定された時期に、潜像形成用の画像情報として、作像部Ｕ３の潜像形成装置の駆動回路Ｄに出力する。
なお、原稿画像が単色画像、いわゆる、モノクロの場合は、黒Ｋのみの画像情報が潜像形成装置の駆動回路Ｄに入力される。
前記原稿台ＰＧ、露光光学系Ａ、固体撮像素子ＣＣＤ及び画像処理部ＧＳにより、実施例１のスキャナ本体Ｕ１ｂが構成される。
【００２７】
（フィーダ部Ｕ２の説明）
図１において、フィーダ部Ｕ２は、媒体の収容容器の一例としての給紙トレイＴＲ１，ＴＲ２，ＴＲ３，ＴＲ４を有している。また、フィーダ部Ｕ２は、前記各給紙トレイＴＲ１〜ＴＲ４に収容された媒体の一例としての記録用紙Ｓを取り出して、作像部Ｕ３に搬送する媒体供給路ＳＨ１等を有している。
【００２８】
（作像部Ｕ３及び媒体処理装置Ｕ４の説明）
図１、図２において、作像部Ｕ３では、潜像形成装置の駆動回路Ｄが、スキャナ部Ｕ１から入力された画像情報などに基づいて、駆動信号を各色の潜像形成装置ＲＯＳｙ〜ＲＯＳｋに出力する。各潜像形成装置ＲＯＳｙ〜ＲＯＳｋの下方には、像保持体の一例としての感光体ドラムＰｙ〜Ｐｋや、帯電ロールＣＲｙ〜ＣＲｋなどが配置されている。感光体ドラムＰｙ〜Ｐｋの表面には潜像形成装置ＲＯＳｙ〜ＲＯＳｋにより静電潜像が形成され、現像装置Ｇｙ〜Ｇｋにより可視像の一例としてのトナー像に現像される。なお、現像装置Ｇｙ〜Ｇｋには、現像剤補給装置Ｕ３ｂに装着されたトナーカートリッジＫｙ〜Ｋｋから現像剤が補給される。感光体ドラムＰｙ〜Ｐｋ表面上のトナー像は、１次転写ロールＴ１ｙ〜Ｔ１ｋにより、中間転写体の一例としての中間転写ベルトＢ上に１次転写領域Ｑ３ｙ〜Ｑ３ｋで転写される。１次転写後の感光体ドラムＰｙ〜Ｐｋは、清掃器ＣＬｙ〜ＣＬｋにより清掃される。
【００２９】
前記潜像形成装置ＲＯＳｙ〜ＲＯＳｋの下方には、中間転写装置ＢＭが支持されている。中間転写装置ＢＭは、中間転写部材の一例としての中間転写ベルトＢと、中間転写部材の支持部材Ｒｄ＋Ｒｔ＋Ｒｗ＋Ｒｆ＋Ｔ２ａとを有する。中間転写ベルトＢは、矢印Ｙａ方向に回転移動可能に支持されている。対向部材Ｔ２ａの下方には、２次転写ユニットＵｔが配置されている。前記２次転写ユニットＵｔは、２次転写部材Ｔ２ｂを有する。２次転写部材Ｔ２ｂは、中間転写ベルトＢと接触して２次転写領域Ｑ４を形成する。また、対向部材Ｔ２ａには、給電部材Ｔ２ｃが接触している。前記給電部材Ｔ２ｃには、トナーの帯電極性と同極性の２次転写電圧が印加される。
【００３０】
中間転写装置ＢＭの下方には、フィーダ部Ｕ２からの記録用紙Ｓが搬送される搬送路ＳＨ２が配置されている。搬送路ＳＨ２では、搬送部材の一例としての搬送ロールＲａにより、記録用紙Ｓが、搬送時期の調節部材の一例としてのレジロールＲｒに搬送される。レジロールＲｒは、中間転写ベルトＢ上のトナー像が２次転写領域Ｑ４に搬送される時期に合わせて、記録用紙Ｓを２次転写領域Ｑ４に搬送する。
中間転写ベルトＢ上のトナー像は、２次転写領域Ｑ４を通過する際に、２次転写器Ｔ２により記録用紙Ｓに転写される。なお、２次転写後の中間転写ベルトＢは、中間転写体の清掃器ＣＬＢにより清掃される。トナー像が転写された記録用紙Ｓは、搬送部材の一例としての媒体搬送ベルトＢＨに送られ、定着装置Ｆに搬送される。定着装置Ｆでは、トナー像が転写された記録用紙Ｓが、加熱部材Ｆｈと加圧部材Ｆｐとが接触する領域である定着領域Ｑ５を通過して定着される。
【００３１】
トナー像が定着された記録用紙Ｓは、排出される場合には、搬送路ＳＨ３から媒体処理装置Ｕ４の搬送路ＳＨ５に搬送される。媒体処理装置Ｕ４には、反りの補正部材Ｕ４ａが配置されており、記録用紙Ｓの反り、いわゆる、カールが補正され、排出部材Ｒｈにより排出トレイＴＨ１に排出される。また、２面目に画像が記録される場合には、トナー像が定着された記録用紙Ｓは、搬送路ＳＨ３から、反転路ＳＨ４，ＳＨ７、循環路ＳＨ６に搬送され、表裏が逆転されて、媒体供給路ＳＨ１を通って２次転写領域Ｑ４に再送される。なお、搬送先の切り替えは、切り替え部材ＧＴ１〜ＧＴ３で行なわれる。前記符号ＳＨ１〜ＳＨ７で示された要素により用紙搬送路ＳＨが構成されている。また、前記符号ＳＨ，Ｒａ，Ｒｒ，Ｒｈ，ＳＧｒ，ＳＧ１，ＳＧ２，ＢＨ、ＧＴ１〜ＧＴ３で示された要素により、実施例１の用紙搬送装置ＳＵが構成されている。
【００３２】
（原稿搬送装置の説明）
図４は実施例１の原稿搬送装置における搬送部材や検出部材の位置関係の説明図である。
図３、図４において、原稿の収容部の一例としての原稿給紙トレイＵ１ａ１は、積載部材の一例としての給紙トレイ本体１を有する。給紙トレイ本体１は、右斜め上方に延びる板状に形成されている。
給紙トレイ本体１の前部には、媒体の揃え部材の一例としてのサイドガイド２が支持されている。サイドガイド２は、前後方向、すなわち、原稿Ｇｉの幅方向に沿って移動可能に支持されている。サイドガイド２は、原稿Ｇｉの幅方向の縁に接触して原稿Ｇｉを揃える。なお、実施例１では、原稿Ｇｉは、原稿給紙トレイＵ１ａ１の後側の壁面に突き当てられると共に、原稿Ｇｉの前端の縁にサイドガイド２が接触するように構成されている。また、給紙トレイ本体１には、第４の検知部材の一例としてのトレイ幅センサ３が支持されている。トレイ幅センサ３は、サイドガイド２の幅方向の位置、すなわち、原稿Ｇｉの幅を検出する。
【００３３】
原稿給紙トレイＵ１ａ１の左端部には、媒体の揃え部材の一例としてのセットゲート６が配置されている。セットゲート６は、回転可能に支持されている。セットゲート６は、原稿Ｇｉの搬送前は吊り下げられた状態で保持されており、原稿Ｇｉの搬送方向の前端を突き当てて揃えることが可能である。そして、原稿Ｇｉの搬送が開始されると、セットゲート６の保持が解除されて、下流側に回転可能となり、原稿Ｇｉの搬送を妨げない。
また、セットゲート６に対して、前後方向にずれた位置には、検知部材の一例としてのセットセンサ７が配置されている。セットセンサ７は、セットゲート６に突き当てられた原稿Ｇｉの有無を検知する。
【００３４】
前記セットゲート６の上方かつ、原稿の搬送方向の上流側には、原稿の取り出し部材の一例としてのナジャーロール１１が配置されている。実施例１のナジャーロール１１は、昇降可能に構成されている。
セットゲート６の下流側には、原稿の搬送部材の一例としてのフィードロール１２が配置されている。フィードロール１２の下方には、フィードロール１２に対向して、原稿の分離部材の一例としてのリタードロール１３が配置されている。
フィードロール１２およびリタードロール１３の下流側には、検知部材の一例としてのフィードインセンサ１６が配置されている。フィードインセンサ１６は、原稿Ｇｉの有無を検知する。
【００３５】
フィードインセンサ１６の下流側には、第１の検知部材の一例としてのフィードアウトセンサ１７が配置されている。フィードアウトセンサ１７は、原稿Ｇｉの有無を検知する。
フィードアウトセンサ１７の下流側には、原稿の搬送部材の一例であって、傾斜補正部材の一例としてのテイクアウェイロール１８が配置されている。
テイクアウェイロール１８の下流側には、第２の検知部材の一例としての原稿幅センサ１９が配置されている。図４において、実施例１の原稿幅センサ１９は、原稿Ｇｉの幅方向に沿って、間隔をあけて複数配置されている。具体的には、原稿幅センサ１９は、Ｂ５サイズの原稿Ｇｉに対応する位置に配置された第１の原稿幅センサ１９ａと、Ａ４サイズの原稿Ｇｉに対応する位置に配置された第２の原稿幅センサ１９ｂと、Ｂ４サイズの原稿Ｇｉに対応する位置に配置された第３の原稿幅センサ１９ｃと、を有する。なお、実施例１の原稿幅センサ１９は、各原稿幅センサ１９ａ〜１９ｃを通過する時期のズレから原稿Ｇｉの傾斜を検出することに使用される。
【００３６】
原稿幅センサ１９の下流側には、第３の検知部材の一例としてのプレレジセンサ２１が配置されている。プレレジセンサ２１は原稿Ｇｉの有無を検知する。
プレレジセンサ２１の下流側には、原稿の搬送部材の一例としてのプレレジロール２２が配置されている。
プレレジロール２２の下流側には、原稿の搬送部材の一例としての原稿レジロール２３が配置されている。原稿レジロール２３は、原稿Ｇｉを第１面の読取位置Ｐ１に向けて搬送する時期を調整する。
【００３７】
原稿レジロール２３の下流側には、第１面の読取位置Ｐ１よりも下流側に、原稿の搬送部材の一例としてのアウトロール２４が配置されている。
アウトロール２４の下流側には、第２面の読取位置Ｐ２が設定されている。第２面の読取位置Ｐ２には、第２の読取り部材の一例としての読取りセンサ２６が配置されている。実施例１の読取りセンサ２６は、ＣＩＳ：Contact Image Sensorにより構成されている。
前記読取りセンサ２６の下流側には、読取の補助部材の一例としての読取ロール２７が配置されている。読取ロール２７の下流側には、原稿Ｇｉを、原稿排紙トレイＵ１ａ３に排出する排出ロール２８が配置されている。
【００３８】
（スキャナ本体Ｕ１ｂおよび原稿搬送装置Ｕ１ａの機能）
前記構成を備えたスキャナ本体Ｕ１ｂでは、プラテンガラスＰＧ２上に配置された原稿Ｇｉの画像を読み取る場合には、露光光学系Ａが原稿Ｇｉの左端から右端まで走査する。原稿Ｇｉからの反射光は、固体撮像素子ＣＣＤで受光され、原稿Ｇｉの画像が読み取られる。
【００３９】
原稿搬送装置Ｕ１ａが搬送する原稿Ｇｉの画像を読み取る場合には、ナジャーロール１１が下降して、原稿Ｇｉの最上面に接触する。そして、ナジャーロール１１が回転して、原稿Ｇｉが送り出される。ナジャーロール１１で送り出された原稿Ｇｉは、フィードロール１２とリタードロール１３とで１枚ずつ分離されて捌かれる。捌かれた原稿Ｇｉは、テイクアウェイロール１８でプレレジロール２２に搬送される。
【００４０】
プレレジロール２２により搬送された原稿Ｇｉは、原稿レジロール２３で、タイミングを合わせて、第１面の読取位置Ｐ１に搬送される。第１面の読取位置Ｐ１を通過する原稿Ｇｉからの反射光は、固体撮像素子ＣＣＤに受光され、原稿Ｇｉの画像が読み取られる。第１面の読取位置Ｐ１を通過した原稿Ｇｉは、アウトロール２４で搬送され、第２面の読取位置Ｐ２に送られる。原稿Ｇｉの両面が読み取られる場合には、読取りセンサ２６は、固体撮像素子ＣＣＤで読み取られた第１面とは反対側の第２面の画像を読み取る。
【００４１】
なお、実施例１では、読取りセンサ２６で画像が読み取られる際に、読取ロール２７が原稿Ｇｉを押さえており、原稿Ｇｉと読取りセンサ２６との間隔が安定し易くなっている。第２面の読取位置Ｐ２を通過した原稿Ｇｉは、排出ロール２８により、原稿排紙トレイＵ１ａ３に排出される。
【００４２】
（実施例１の制御部の説明）
図５は実施例１の画像形成装置の制御部が備えている各機能をブロック図で示した図である。
図５において、複写機Ｕの制御部Ｃは、外部との信号の入出力等を行う入出力インターフェースＩ／Ｏを有する。また、制御部Ｃは、必要な処理を行うためのプログラムおよび情報等が記憶されたＲＯＭ：リードオンリーメモリを有する。また、制御部Ｃは、必要なデータを一時的に記憶するためのＲＡＭ：ランダムアクセスメモリを有する。また、制御部Ｃは、ＲＯＭ等に記憶されたプログラムに応じた処理を行うＣＰＵ：中央演算処理装置を有する。したがって、実施例１の制御部Ｃは、小型の情報処理装置、いわゆるマイクロコンピュータにより構成されている。よって、制御部Ｃは、ＲＯＭ等に記憶されたプログラムを実行することにより種々の機能を実現することができる。
【００４３】
（制御部Ｃに接続された信号出力要素）
制御部Ｃは、操作部ＵＩや、固体撮像素子ＣＣＤ、読取りセンサ２６、各センサ３，７，１６，１７，１９，２１等の信号出力要素からの出力信号が入力されている。
操作部ＵＩは、印刷枚数や矢印等の入力を行う入力ボタンＵＩａや、告知部材の一例としての表示部ＵＩｂ、複写動作や原稿Ｇｉの読取動作を開始するための入力を行う入力部材の一例としてのコピースタートキーＵＩｃ等を備えている。
【００４４】
固体撮像素子ＣＣＤは、原稿Ｇｉの第１面の画像を読み取る。
読取りセンサ２６は、第２面の読取位置Ｐ２を通過する原稿Ｇｉの第２面の画像を読み取る。
トレイ幅センサ３は、サイドガイド２の幅方向の位置に基づいて、原稿Ｇｉの幅を検出する。
セットセンサ７は、セットゲート６に突き当てられた原稿Ｇｉの有無を検知する。
【００４５】
フィードインセンサ１６は、フィードロール１２の近傍における原稿Ｇｉの有無を検知する。
フィードアウトセンサ１７は、テイクアウェイロール１８の上流側における原稿Ｇｉの有無を検知する。
原稿幅センサ１９は、原稿Ｇｉの幅を検知する。
プレレジセンサ２１は、プレレジロール２２の上流側における原稿Ｇｉの有無を検知する。
【００４６】
（制御部Ｃに接続された被制御要素）
制御部Ｃは、主駆動源の駆動回路Ｄ１や、原稿搬送の駆動回路Ｄ２、スキャン駆動回路Ｄ３、電源回路Ｅ、その他の図示しない制御要素に接続されている。制御部Ｃは、各回路Ｄ１〜Ｄ３，Ｅ等へ、それらの制御信号を出力している。
Ｄ１：主駆動源の駆動回路
主駆動源の駆動回路Ｄ１は、主駆動源の一例としてのメインモータＭ１を介して、像保持体の一例としての感光体ドラムＰｙ〜Ｐｋや中間転写ベルトＢ等を回転駆動する。
【００４７】
Ｄ２：原稿搬送の駆動回路
原稿搬送装置の駆動回路の一例としての原稿搬送の駆動回路Ｄ２は、原稿搬送用の駆動源の一例としての搬送ロールモータＭ２を駆動することにより、原稿の搬送路ＧＨに配置されたナジャーロール１１やフィードロール１２、テイクアウェイロール１８等を回転駆動する。
Ｄ３：スキャン駆動回路
走査駆動回路の一例としてのスキャン駆動回路Ｄ３は、走査駆動源の一例としてのスキャンモータＭ３を駆動することにより、図示しないギア等を介して、露光光学系Ａを原稿台ＰＧの下面に沿って左右方向に移動させる。
【００４８】
Ｅ：電源回路
前記電源回路Ｅは、現像用の電源回路Ｅａ、帯電用の電源回路Ｅｂ、転写用の電源回路Ｅｃ、定着用の電源回路Ｅｄ等を有している。
Ｅａ：現像用の電源回路
現像用の電源回路Ｅａは、現像装置Ｇｙ〜Ｇｋの現像ロールに現像電圧を印加する。
Ｅｂ：帯電用の電源回路
帯電用の電源回路Ｅｂは、帯電ロールＣＲｙ〜ＣＲｋそれぞれに感光体ドラムＰｙ〜Ｐｋ表面を帯電させるための帯電電圧を印加する。
【００４９】
Ｅｃ：転写用の電源回路
転写用の電源回路Ｅｃは、１次転写ロールＴ１ｙ〜Ｔ１ｋや給電部材Ｔ２ｃを介して２次転写部材Ｔ２ｂに転写電圧を印加する。
Ｅｄ：定着用の電源回路
定着用の電源回路Ｅｄは、定着装置Ｆの加熱部材Ｆｈにヒータ加熱用の電力を供給する。
【００５０】
（制御部Ｃの機能）
制御部Ｃは、前記信号出力要素からの入力信号に応じた処理を実行して、前記各制御要素に制御信号を出力する機能を有している。すなわち、制御部Ｃは次の機能を有している。
Ｃ１：画像形成の制御手段
画像形成の制御手段Ｃ１は、スキャナ部Ｕ１の固体撮像素子ＣＣＤや読取りセンサ２６から入力された画像情報に応じて、複写機Ｕの各部材の駆動や各電圧の印加時期等を制御して、画像形成動作であるジョブを実行する。
Ｃ２：駆動源の制御手段
駆動源の制御手段Ｃ２は、主駆動源の駆動回路Ｄ１を介して、メインモータＭ１の駆動を制御し、感光体ドラムＰｙ〜Ｐｋ等の駆動を制御する。
【００５１】
Ｃ３：電源回路の制御手段
電源回路の制御手段Ｃ３は、各電源回路Ｅａ〜Ｅｄを制御して、各部材へ印加される電圧や、各部材へ供給される電力を制御する。
Ｃ４：読取り設定の記憶手段
読取り設定の記憶手段Ｃ４は、操作部ＵＩから入力された原稿の読取り方法の設定を記憶する。実施例１の読取り設定の記憶手段Ｃ４は、原稿の読取り方法として、「定型」か「非定型」か、「原稿サイズが揃っている：ノーミックス」か「原稿サイズが不揃い：ミックス」か、「読取り速度優先」か「読取り精度優先」か、の各設定に関して記憶する。そして、操作部ＵＩからの入力に応じて、各設定の情報が更新される。
【００５２】
Ｃ５：読取り設定の判別手段
読取り設定の判別手段Ｃ５は、読取り設定の記憶手段Ｃ４に記憶された情報に基づいて、実行されるジョブに関して、原稿の読取り方法の設定を判別する。なお、実施例１では、操作部ＵＩからの入力がされない場合、「定型」、「ノーミックス」、「読取り速度優先」が標準の読取り方法として判別される。
Ｃ６：原稿読取り手段
原稿読取り手段Ｃ６は、ジョブの実行時に、各読取り部材ＣＣＤ，２６からの入力信号に基づいて、原稿Ｇｉの画像を読み取る。
【００５３】
Ｃ７：原稿の搬送制御手段
原稿の搬送制御手段Ｃ７は、原稿搬送の駆動回路Ｄ２を介して、ナジャーロール１１等の駆動を制御して、原稿Ｇｉの搬送を制御する。
Ｃ８：サイドガイドの位置取得手段
幅検知手段の一例としてのサイドガイドの位置取得手段Ｃ８は、トレイ幅センサ３の検出結果に基づいて、サイドガイド２の幅方向の位置を取得する。なお、実施例１のサイドガイドの位置取得手段Ｃ８は、読取り設定が、「定型」且つ「ノーミックス」且つ「読取り速度優先」の場合に、サイドガイド２の位置を取得する。
【００５４】
Ｃ９：近似サイズ判別手段
近似サイズ判別手段Ｃ９は、サイドガイドの位置取得手段Ｃ８で検出されたサイドガイド２の位置が、予め設定された原稿幅が近似する異なる原稿サイズに該当するか否かを判別する。実施例１では、近似する原稿サイズとして、「Ａ４ＳＥＦ:short edge feed」と「ＵＳレター」が設定されている。したがって、原稿幅が、２１０［ｍｍ］の「Ａ４ＳＥＦ」と、２１５．９［ｍｍ］の「ＵＳレター」とが近似する原稿サイズと設定されている。そして、実施例１では、検出されたサイドガイド２の位置が、マージンも含めて、一例として、原稿幅２０５［ｍｍ］〜２２０［ｍｍ］に相当する位置であった場合に、「Ａ４」または「ＵＳレター」の近似するサイズと判別する。
【００５５】
Ｃ１０：長さ検知時間の計測手段
長さ検知時間の計測手段Ｃ１０は、原稿Ｇｉの長さを検知するための時間である長さ検知時間ｔ１を計測する。実施例１の長さ検知時間の計測手段Ｃ１０は、通過検知部材の一例としてのフィードアウトセンサ１７を、原稿Ｇｉの前端が通過してから後端が通過するまでの時間を、長さ検知時間ｔ１として計測する。なお、使用するセンサはフィードアウトセンサ１７に限定されず、フィードインセンサ１６や原稿幅センサ１９、プレレジセンサ２１等の原稿Ｇｉが搬送中に通過するセンサを使用可能である。
Ｃ１１：長さ検知手段
長さ検知手段Ｃ１１は、長さ検知時間ｔ１と、予め設定された原稿の搬送速度とに基づいて、原稿Ｇｉの搬送方向の長さを検知する。
【００５６】
図６は実施例１の原稿の大きさの検知方法の一覧の図である。
Ｃ１２：原稿の大きさ検知手段
幅検知手段の一例であって、長さ検知手段の一例としての原稿の大きさ検知手段Ｃ１２は、第１の幅検知手段Ｃ１２Ａと、第２の幅検知手段Ｃ１２Ｂとを有し、原稿Ｇｉの大きさ、すなわち、原稿サイズを検知する。図６において、実施例１の原稿の大きさ検知手段Ｃ１２は、原稿の読取り設定に応じて、「定型」且つ「ノーミックス」且つ「読取り速度優先」の場合に、第１の幅検知手段Ｃ１２Ａおよび長さ検知手段Ｃ１１に基づいて原稿の幅と長さを検知、すなわち、原稿の大きさを検知する。そして、それ以外の読取り設定の場合は固体撮像素子ＣＣＤが読み取った画像に基づいて原稿の幅と長さから大きさを検知する。
【００５７】
Ｃ１２Ａ：第１の幅検知手段
第１の幅検知手段Ｃ１２Ａは、サイドガイドの位置取得手段Ｃ８に基づいて原稿の幅を検知する。実施例１の第１の幅検知手段Ｃ１２Ａは、「定型」且つ「ノーミックス」且つ「読取り速度優先」の場合に、原稿の幅を検知する。なお、実施例１の第１の幅検知手段Ｃ１２Ａは、「定型」且つ「ノーミックス」且つ「読取り速度優先」であって、近似サイズ判別手段Ｃ９で近似サイズに該当すると判別された場合は、例外として、第１の幅検知手段Ｃ１２Ａで原稿の幅の検知を行わず、第２の幅検知手段Ｃ１２Ｂで原稿の幅の検知を行う。なお、実施例１では、第１の幅検知手段Ｃ１２Ａで原稿の幅の検知を行う場合に、原稿の長さは長さ検知手段Ｃ１１の値を使用するが、原稿の長さに関しては、長さ検知手段Ｃ１１の値に限定されず、原稿台に設けられたセンサ（図示せず）で検知することも可能である。
【００５８】
Ｃ１２Ｂ：第２の幅検知手段
第２の幅検知手段Ｃ１２Ｂは、固体撮像素子ＣＣＤが読み取った画像に基づいて原稿の幅を検知する。実施例１の第２の幅検知手段Ｃ１２Ｂは、「定型」且つ「ノーミックス」且つ「読取り速度優先」ではない場合に、原稿の幅を検知する。なお、実施例１の第２の幅検知手段Ｃ１２Ｂは、前述の近似サイズに該当する場合は、例外として、第１の幅検知手段Ｃ１２Ａで原稿の幅の検知を行わず、第２の幅検知手段Ｃ１２Ｂで幅の検知を行う。なお、実施例１では、第２の幅検知手段Ｃ１２Ｂで原稿の幅の検知を行う場合に、原稿の長さは読み取った画像に基づいて検知するが、これに限定されず、原稿の長さに関しては、長さ検知手段Ｃ１１の値を使用しても良い。
【００５９】
（実施例１の流れ図の説明）
次に、実施例１の複写機Ｕにおける制御の流れを流れ図、いわゆるフローチャートを使用して説明する。
【００６０】
（原稿の読取り制御処理のフローチャートの説明）
図７は実施例１の原稿の読取り制御処理のフローチャートの説明図である。
図７のフローチャートの各ステップＳＴの処理は、複写機Ｕの制御部Ｃに記憶されたプログラムに従って行われる。また、この処理は複写機Ｕの他の各種処理と並行して実行される。
図７に示すフローチャートは複写機Ｕの電源投入により開始される。
【００６１】
図７のＳＴ１において、複写動作、スキャン動作、ＦＡＸ送信動作等のジョブが開始されたか否かを判別する。イエス（Ｙ）の場合はＳＴ２に進み、ノー（Ｎ）の場合はＳＴ１を繰り返す。
ＳＴ２において、読取り方法の設定の情報を取得する。そして、ＳＴ３に進む。
ＳＴ３において、「定型」の設定がされているか否かを判別する。イエス（Ｙ）の場合はＳＴ４に進み、ノー（Ｎ）の場合はＳＴ１５に進む。
ＳＴ４において、「ノーミックス」の設定がされているか否かを判別する。イエス（Ｙ）の場合はＳＴ５に進み、ノー（Ｎ）の場合はＳＴ１５に進む。
ＳＴ５において、「読取り速度優先」の設定がされているか否かを判別する。イエス（Ｙ）の場合はＳＴ６に進み、ノー（Ｎ）の場合はＳＴ１５に進む。
【００６２】
ＳＴ６において、原稿Ｇｉの搬送を開始する。そして、ＳＴ７に進む。
ＳＴ７において、サイドガイド２の位置を取得する。そして、ＳＴ８に進む。
ＳＴ８において、取得したサイドガイド２の位置から、原稿Ｇｉの幅は、近似サイズの幅に該当するか否かを判別する。ノー（Ｎ）の場合はＳＴ９に進み、イエス（Ｙ）の場合はＳＴ１６に進む。
ＳＴ９において、長さ検知センサであるフィードアウトセンサ１７を原稿Ｇｉの前端が通過したか否かを判別する。すなわち、フィードアウトセンサ１７が、原稿Ｇｉを検知していない状態から、検知状態に移行したか否かを判別する。イエス（Ｙ）の場合はＳＴ１０に進み、ノー（Ｎ）の場合はＳＴ９を繰り返す。
【００６３】
ＳＴ１０において、長さ検知時間ｔ１の計測を開始する。そして、ＳＴ１１に進む。
ＳＴ１１において、長さ検知センサであるフィードアウトセンサ１７を原稿Ｇｉの後端が通過したか否かを判別する。すなわち、フィードアウトセンサ１７が、原稿Ｇｉを検知している状態から、検知していない状態に移行したか否かを判別する。イエス（Ｙ）の場合はＳＴ１２に進み、ノー（Ｎ）の場合はＳＴ１１を繰り返す。
ＳＴ１２において、長さ検知時間ｔ１の計測を終了する。そして、ＳＴ１３に進む。
ＳＴ１３において、次の処理（１），（２）を実行して、ＳＴ１４に進む。
（１）長さ検知時間ｔ１から原稿Ｇｉの搬送方向の長さを検出する。
（２）原稿Ｇｉの幅と長さから、原稿サイズを特定する。
ＳＴ１４において、ジョブが終了したか否かを判別する。イエス（Ｙ）の場合はＳＴ１に戻り、ノー（Ｎ）の場合はＳＴ１４を繰り返す。
【００６４】
ＳＴ１５において、原稿の搬送を開始する。そして、ＳＴ１６に進む。
ＳＴ１６において、読取り部材ＣＣＤ，２６で、原稿Ｇｉの画像の読取りを開始する。そして、ＳＴ１７に進む。
ＳＴ１７において、固体撮像素子ＣＣＤの位置、実施例１では、第１面の読取位置Ｐ１を原稿Ｇｉの後端が通過したか否かを判別する。イエス（Ｙ）の場合はＳＴ１８に進み、ノー（Ｎ）の場合はＳＴ１７を繰り返す。
ＳＴ１８において、固体撮像素子ＣＣＤが読み取った画像から原稿サイズを特定する。そして、ＳＴ１９に進む。
ＳＴ１９において、ジョブが終了したか否かを判別する。イエス（Ｙ）の場合はＳＴ１に戻り、ノー（Ｎ）の場合はＳＴ１６に戻る。
【００６５】
（スキャナ本体Ｕ１ｂおよび原稿搬送装置Ｕ１ａの詳細な機能）
前記構成を備えた実施例１の複写機Ｕでは、原稿給紙トレイＵ１ａ１に原稿Ｇｉが積載された状態で、コピースタートキーＵＩｃが入力されると、「自動読取動作」が実行される。すなわち、原稿給紙トレイＵ１ａ１に積載されていた原稿Ｇｉは、原稿の搬送路ＧＨに給紙されて搬送される。原稿の搬送路ＧＨを搬送される原稿Ｇｉは、各読取位置Ｐ１，Ｐ２において、第１面と第２面が固体撮像素子ＣＣＤ、読取りセンサ２６で読み取られる。
【００６６】
実施例１では、原稿Ｇｉが読み取られる際に、原稿サイズの検知方法が、原稿Ｇｉの読取り方法の設定に応じて変更される。すなわち、「定型」且つ「ノーミックス」且つ「読取り速度優先」の場合には、サイドガイド２の位置とフィードアウトセンサ１７を通過する長さ検知時間ｔ１から原稿サイズが検出され、それ以外の場合は、読取り画像から原稿サイズが検出される。
【００６７】
特許文献１，２に記載の技術のように、常に、読取り画像から原稿サイズを検知していると、原稿サイズを特定する精度は良いが、原稿Ｇｉの１ページの全領域を読み取るまで、原稿サイズが確定しない。したがって、原稿サイズの確定までに時間が掛かり、複写時の印刷処理やＦＡＸ送信、スキャンデータの作成等のその後の処理が遅れる問題がある。
ここで、特許文献３に記載の技術のように、サイドガイド２の位置から原稿幅を検知すると、原稿Ｇｉの全領域を読み取る前、すなわち、原稿Ｇｉの搬送中に原稿の幅および長さが検出される。よって、読取り画像から原稿サイズを検知する場合に比べて、早期に原稿サイズが確定する。一方、サイドガイド２の位置から原稿幅を検知すると、サイドガイド２の遊びやユーザがサイドガイド２を突き当てすぎたり、ユーザが原稿Ｇｉの後端の壁に対する突き当てが不十分であったり等で、「非定型」のような原稿の幅が不定の場合には、原稿幅の検知精度が低い場合があり、原稿サイズを誤検知する場合がある。
【００６８】
よって、実施例１では、「ノーミックス」且つ「読取り速度優先」の場合に、「定型」であれば、サイドガイド２の位置やフィードアウトセンサ１７の通過時間ｔ１から早期に原稿サイズを特定すると共に、「非定型」であれば、読取り画像から精度よく原稿サイズを特定する。よって、実施例１では、特許文献１〜３に記載の技術に比べて、原稿Ｇｉの読取り時間を短縮しつつ原稿Ｇｉの大きさの誤検知が低減される。
なお、実施例１では、Ａ４とＵＳレターのように近似サイズの場合には、「定型」の設定であっても、読取り画像から原稿サイズを検知する。よって、近似するサイズでもサイドガイド２の位置等から原稿サイズを検知する場合に比べて、原稿サイズの誤検知がさらに減っている。
【００６９】
また、「ミックス」の場合は、サイズの異なる原稿が混載された状況であり、特許文献３のように、サイドガイド２の位置から、原稿Ｇｉのサイズを取得することが困難であった。特に、特許文献３に記載の構成では、原稿幅センサ１９を使用して、「定型」且つ「ノーミックス」の場合は原稿サイズを検知していたが、「非定型」且つ「ノーミックス」の原稿サイズは検知不能であり、ユーザが読取り方法として設定不能になっていた。
これに対して、実施例１では、「ノーミックス」の場合は、１枚目の原稿Ｇｉから検知した原稿サイズをジョブ終了まで使用しつつ、「ミックス」の場合は読取り画像から原稿サイズを原稿Ｇｉの１枚毎に読み取っている。よって、実施例１では、特許文献１〜３に記載の技術に比べて、原稿Ｇｉの読取り時間を短縮しつつ原稿Ｇｉの大きさの誤検知が低減される。特に、実施例１の構成では、全体としての高速化を図りつつ、「非定型」且つ「ノーミックス」の原稿サイズも特定可能になっている。仮に、標準の設定を「非定型」且つ「ノーミックス」にした場合、定型の原稿Ｇｉであっても読取り画像から原稿サイズを確定することになるが、原稿給紙トレイＵ１ａ１に原稿Ｇｉをセットする際に、後壁にユーザがしっかり突き当てなくても良くなる。したがって、ユーザの作業性、操作性が向上する。
【００７０】
さらに、「速度優先」の場合に、特許文献１，２のように、読取り画像から原稿サイズを特定すると、原稿サイズの特定までに時間がかかる。一方、特許文献３のように常にサイドガイド２等から位置を検出する場合、原稿Ｇｉを原稿給紙トレイＵ１ａ１にセットする際に、原稿Ｇｉの後端を壁に突き当て且つサイドガイド２を原稿Ｇｉの前端に当てないと、原稿サイズを誤検知する場合があった。
これに対して、実施例１では、「定型」且つ「ノーミックス」の場合に、「速度優先」であれば、サイドガイド２の位置やフィードアウトセンサ１７の通過時間ｔ１から原稿サイズを特定すると共に、「精度優先」であれば、読取り画像から原稿サイズを特定する。したがって、実施例１では、特許文献１〜３に記載の技術に比べて、原稿Ｇｉの読取り時間を短縮しつつ原稿Ｇｉの大きさの誤検知が低減される。
【００７１】
図８は実施例１の変更例の説明図であり、図８Ａは定型と非定型の設定しかない機種の場合の説明図、図８Ｂはノーミックスとミックスの設定しかない機種の場合の説明図、図８Ｃは速度優先と精度優先の設定しかない機種の場合の説明図である。
図８Ａにおいて、実施例１と異なり、画像形成装置の機種として「ノーミックス」且つ「速度優先」しか対応しておらず、読取り方法の設定として、「定型」と「非定型」の設定が可能な機種を考える。この場合、「定型」の場合に、第１の幅検知手段Ｃ１２Ａでサイドガイド２の位置等から原稿サイズを検知し、「非定型」の場合に、第２の幅検知手段Ｃ１２Ｂで読取り画像から原稿サイズを検知することで、実施例１と同様に、一方の原稿サイズの検知方法しか使用しない特許文献１〜３に記載の技術に比べて、原稿Ｇｉの読取り時間を短縮しつつ原稿Ｇｉの大きさの誤検知が低減される。
【００７２】
図８Ｂにおいて、図８Ａの場合と同様に、画像形成装置の機種として「定型」且つ「速度優先」しか対応しておらず、読取り方法の設定として、「ノーミックス」と「ミックス」の設定が可能な機種では、「ノーミックス」の場合に、第１の幅検知手段Ｃ１２Ａでサイドガイド２の位置等から原稿サイズを検知し、「ミックス」の場合に、第２の幅検知手段Ｃ１２Ｂで読取り画像から原稿サイズを検知することで、特許文献１〜３に記載の技術に比べて、原稿Ｇｉの読取り時間を短縮しつつ原稿Ｇｉの大きさの誤検知が低減される。
図８Ｃにおいて、図８Ａ、図８Ｂの場合と同様に、画像形成装置の機種として「定型」且つ「ノーミックス」しか対応しておらず、読取り方法の設定として、「速度優先」と「精度優先」の設定が可能な機種では、「速度優先」の場合に、第１の幅検知手段Ｃ１２Ａでサイドガイド２の位置等から原稿サイズを検知し、「精度優先」の場合に、第２の幅検知手段Ｃ１２Ｂで読取り画像から原稿サイズを検知することで、特許文献１〜３に記載の技術に比べて、原稿Ｇｉの読取り時間を短縮しつつ原稿Ｇｉの大きさの誤検知が低減される。
【００７３】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ010）を下記に例示する。
（Ｈ01）前記実施例において、画像形成装置の一例としての複写機Ｕによる構成を例示したが、これに限定されず、ＦＡＸ、あるいはこれら複数の機能を備えた複合機等に適用可能である。また、電子写真方式の画像形成装置に限定されず、インクジェット記録方式やサーマルヘッド方式などをはじめリソグラフ等の印刷機等任意の画像形成方式の画像形成装置に適用可能である。また、多色現像の画像形成装置に限定されず、単色、いわゆるモノクロの画像形成装置により構成することも可能であり、いわゆるタンデム式の画像形成装置に限定されず、ロータリ式等の画像形成装置にも適用可能である。
【００７４】
（Ｈ02）前記実施例において、画像読取装置の一例として、複写機Ｕが有するスキャナ部Ｕ１の構成を例示したが、これに限定されず、スキャナ部Ｕ１単体の構成にも本発明は適用可能である。
（Ｈ03）前記実施例において、「自動読取動作」および「手動読取動作」が実行可能なスキャナ部Ｕ１の構成を例示したが、これに限定されない。例えば、「自動読取動作」のみが可能で、「手動読取動作」が省略された構成も可能である。
【００７５】
（Ｈ04）前記実施例において、原稿搬送装置Ｕ１ａは、読取り部材ＣＣＤ，２６により、２つの読取位置Ｐ１，Ｐ２で原稿Ｇｉの画像を読み取る構成が望ましいが、これに限定されない。例えば、読取りセンサ２６を省略し且つ原稿を表裏反転させる搬送路を設けて、第１面の読取位置Ｐ１のみで原稿Ｇｉの画像を読み取る構成としたり、片面のみしか読み取れない場合も、本願発明を適用可能である。
（Ｈ05）前記実施例において、読取り方法の設定として、「定型」/「非定型」、「ノーミックス」/「ミックス」、「速度優先」/「精度優先」の設定を例示した、これに限定されない。これら以外の設定、例えば、原稿Ｇｉをローラに突き当て且つ上流側から原稿Ｇｉを押しこんで湾曲させて、原稿Ｇｉの傾きを補正する機能を設けて、「原稿Ｇｉの傾き補正有り」/「無し」で第１の幅検知手段Ｃ１２Ａと第２の幅検知手段Ｃ１２Ｂとを切り替えたり、「片面読取り」/「両面読取り」で切替えたりすることで、読取り時間の短縮と誤検知の低減を図ることも可能である。
【００７６】
（Ｈ06）前記実施例において、センサの数や近似サイズで例示した具体的な数値等は、設計や仕様等に応じて、任意に変更可能である。
（Ｈ07）前記実施例において、近似サイズに該当するかどうかの判定を行うことが好ましいが、例えば、特定の種類の用紙しか使用しない会社や国では、一方の原稿サイズのみとすることも可能である。
（Ｈ08）前記実施例において、サイドガイド２は、原稿幅方向の一方である前側のみ設ける構成を例示したが、これに限定されない。原稿幅方向の両側に配置する構成とすることも可能である。
【００７７】
（Ｈ09）前記実施例において、操作部ＵＩで、原稿の読取り方法の設定を入力する構成を例示したが、これに限定されない。例えば、予め定型サイズの幅にごくわずかな誤差分、いわゆるマージンを加味した値を定型サイズの値として記憶しておき、原稿台のサイズ検知の結果から、定型の場合はサイドガイド２の位置から原稿の幅を判断し、定型と判断されない場合は読み取った画像から幅を判断しても良い。このようにすると、定型原稿であっても利用者が原稿を不揃いに揃えていて、原稿台のサイズ検知結果と実際の原稿のサイズが異なる場合でも、原稿の幅を正確に検出できる。また、操作部ＵＩにおいて、定型／非定型やミックス／ノーミックス、速度優先／精度優先の入力を行う構成を例示したが、これに限定されない。例えば、非定型のオン、オフの入力をするだけで、定型に関しては積極的に入力を行わない構成とすることも可能である。同様に、ミックスのオン、オフの入力だけとしたり、精度優先のオン、オフの入力だけを行う構成とすることも可能である。
（Ｈ010）前記実施例において、長さに関しては、読取り画像で幅を検出する際には、読取り画像で長さを検出する構成を例示したが、これに限定されない。例えば、読取り画像で幅を検出する場合に、パス中センサで原稿の長さを検知してもよい。そのように構成する事で、画像で長さも検出する場合よりも早く長さを把握することができる。
【符号の説明】
【００７８】
２…揃え部材、
１７…通過検知部材、
Ｃ８…幅検知手段、
Ｃ１１…長さ検知手段、
Ｃ１２…幅検知手段、大きさ検知手段、
ＣＣＤ…読取り部材、
ＧＨ…搬送路、
Ｇｉ…原稿、
Ｓ…媒体、
Ｕ…画像形成装置、
Ｕ１…画像読取装置、
Ｕ１ａ１…収容部、
Ｕ３…画像記録装置、
ＵＩ…入力部。
【図１】
2017069619.tif 000003
【図２】
2017069619.tif 000004
【図３】
2017069619.tif 000005
【図４】
2017069619.tif 000006
【図５】
2017069619.tif 000007
【図６】
2017069619.tif 000008
【図７】
2017069619.tif 000009
【図８】
2017069619.tif 000010